(57)【要約】【課題】コストを低くでき、かつ生産性も改善され、さらに薄型化をも図ることができるように改良された入力機能付き映写スクリーンシートを得ることを主要な目的とする。【解決手段】入力機能付き映写スクリーンシート１は、プロジェクタ２１から投影された画像や映像２３を表示する。入力機能付き映写スクリーンシート１は、基板と、基板の少なくとも一方の面に設けられた、プロジェクタ２１からの投影光１４を反射する反射手段とを備える。反射手段は、タッチセンサの電極配線を兼ねる複数の導電性細線１ｘ、１ｙで形成されている。【選択図】図１
2017215383.tif 000002
【特許請求の範囲】
【請求項１】
プロジェクタから投影された画像や映像を表示する映写スクリーンシートであって、
基板と、
前記基板の少なくとも一方の面に設けられ、前記プロジェクタからの投影光を反射する反射手段と、を備え、
前記反射手段は、タッチセンサの電極配線を兼ねる複数の導電性細線で形成されていることを特徴とする、入力機能付き映写スクリーンシート。
【請求項２】
前記導電性細線は、金属または、導電性微粒子を含む樹脂で形成されている、請求項１に記載の入力機能付き映写スクリーンシート。
【請求項３】
前記基板は、透明樹脂又は透明ガラスで形成される、請求項１又は２に記載の入力機能付き映写スクリーンシート。
【請求項４】
前記入力機能付き映写スクリーンシートを２枚備え、これらが、
それぞれに設けられた前記反射手段が互いに向かい合うように、互いに背中合わせになるように、又は双方の反射手段が同一方向に向くように、絶縁体（粘着剤）を介して積層されている、請求項１〜３のいずれか１項に記載の入力機能付き映写スクリーンシート。
【請求項５】
プロジェクタから投影された画像や映像を表示する映写スクリーンシートであって、
基板と、
前記基板の少なくとも一方の面に設けられ、前記プロジェクタからの投影光を反射する反射手段と、を備え、
前記反射手段は、互いに間隔を置いて配列された、表面及び側壁面を有し、かつ光反射性を有する複数の細線で形成されている映写スクリーンシート。
【発明の詳細な説明】
【技術分野】
【０００１】
本発明は、一般に映写スクリーンシートに関するものであり、より特定的には、コスト軽減、生産性改善、さらに薄型化を図ることができるように改良された入力機能付き映写スクリーンシートに関する。
【背景技術】
【０００２】
タッチパネルは、画面に直接触れることにより、コンピュータの操作が行える装置であり、アーケードゲーム、サイネージ、テーブルＰＣ、スマートフォン、携帯ゲーム機、カーナビ、切符販売機、銀行ＡＴＭなどさまざまなシーンで利用されている。
【０００３】
図１１（Ａ）、（Ｂ）、（Ｃ）を参照して、投影型静電容量方式タッチパネル用フィルム１００は、Ｘ軸方向に並んで延びる複数の電極配線１ｘのパターンが形成された透明電極フィルムとＹ軸方向に並んで延びる複数の電極配線１ｙのパターンが形成された透明電極フィルムとの２枚のフィルムがＸ軸方向とＹ軸方向が直交するように、四隅を揃えて重ね合わされてなる。なお、図面では、作図の関係上、電極配線１ｘ、１ｙ等の密度は粗く描かれている。
【０００４】
それぞれの透明電極フィルムの上に、電極配線１ｘ、１ｙ、連結配線９１ｘ、９１ｙ、接続用電極配線６，１０、出力端子用電極配線５，９がスクリーン印刷を経て形成されている。連結配線９１ｘ、９１ｙは、電極配線１ｘ、１ｙのパターンの端に設けられており、隣り合う電極配線１ｘ、１ｙを９本ずつ束ねて１つの電極とするものである。接続用電極配線６，１０は、各々の連結配線９１ｘ、９１ｙから延びるものである。複数個の出力端子用電極配線５，９は、接続用電極配線６，１０の各々からさらにＸ軸又はＹ軸に向かって延びて形成され、フレキシブルプリント配線基板（以下ＦＰＣ基板と略す）４，８に出力するためのものである。複数個の出力端子用電極配線５，９はそれぞれ、電極配線１ｘ、１ｙに設けられている。複数個の出力端子用電極配線５，９はコネクタを介してＦＰＣ基板４，８に電気的接続され、このＦＰＣ基板４、８はコネクタを介して変換基板７，１１に電気的接続され、変換基板７，１１は図示しないコントローラに電気的接続されている。
【０００５】
さて、３２インチ、４７インチのスクリーンパネルに用いる上述のタッチスクリーンフィルムを作る場合には、それぞれの大きさに応じたスクリーン版を準備して、スクリーン印刷を行わねばならない。その煩わしさに鑑み、先に、発明者らは、大きな１つのスクリーン版があれば、４７インチ、３２インチ、４２インチ用、横長パネルのいずれをも製造することができる投影型静電容量方式タッチパネル用フィルムを提案した（特許文献１）。
【０００６】
そして、発明者らは、さらに鋭意研究を行っていた所、上述のタッチスクリーンフィルムに、プロジェクタの投影光を当てると、タッチパネルの電極配線に投影光が当たって拡散して反射するという興味ある現象を見出し、本願発明に到達した。
【０００７】
本願発明に関連して、インタラクチブボード用の反射スクリーンの技術が提案されている（特許文献２）が、スクリーンシートとタッチパネルを貼り合わせた構成で、コストが高く、生産性が悪い、さらに薄型化が困難という問題点があった。
【先行技術文献】
【特許文献】
【０００８】
【特許文献１】特開２０１４-１８２６１９号公報
【特許文献２】特開２０１２-７３３６０号公報
【発明の開示】
【発明が解決しようとする課題】
【０００９】
それゆえに、この発明の目的は、上記問題点を解決するためになされたもので、コストを低くでき、かつ生産性も改善され、さらに薄型化を図ることができるように改良された入力機能付き映写スクリーンシートを提供することにある。
【００１０】
この発明の他の目的は、コストを低くでき、かつ生産性も改善され、薄型化を図ることができるように改良された映写スクリーンシートを提供することにある。
【００１１】
この発明のさらに他の目的は、暗闇の空中に映像を浮かび上がらせることのできる映写スクリーンシートを提供することにある。
【００１２】
この発明のさらに他の目的は、互いに鏡像関係にある２つの映像が鑑賞できる映写スクリーンシートを提供することにある。
【課題を解決するための手段】
【００１３】
本発明に係る入力機能付き映写スクリーンシートは、プロジェクタから投影された画像や映像を表示するものであって、基板と、上記基板の少なくとも一方の面に設けられ、上記プロジェクタからの投影光を拡散して反射する反射手段と、を備える。上記反射手段は、タッチパネルの電極配線を兼ねる複数の導電性細線で形成されていることを特徴とする。
【００１４】
本発明に係る入力機能付き映写スクリーンシートによれば、反射手段を、タッチセンサの電極配線を兼ねる複数の導電性細線で形成しているので、これらの導電性細線が同時に２つの利益（タッチセンサとしても利用でき、映写スクリーンシートとしても利用できる）を生み出す。
【００１５】
上記導電性細線は、反射するものはいずれも使用でき、金属または、導電性微粒子を含む樹脂で形成されるのが好ましい。
【００１６】
上記基板は、透明樹脂又は透明ガラスで形成されるのが好ましい。
【００１７】
上記入力機能付き映写スクリーンシートを２枚備え、これらが、それぞれに設けられた上記反射手段が互いに向かい合うように、互いに背中合わせになるように、又は双方の反射手段が同一方向に向くように、絶縁体を介して積層されているのが好ましい。絶縁体は、例えば、ＰＥＴ、ガラス基板、粘着剤などである。
【００１８】
上記複数の導電性細線は、格子状、網目状などの連続した幾何学パターンで形成されるのが好ましい。
【００１９】
上記入力機能付き映写スクリーンシートは、透明基材層と、上記透明基材層の上に設けられた、酸化物セラミックス、非酸化物セラミックス及び金属からなる群から選ばれる少なくとも１種を主成分として含有する透明多孔質層と、を備え、上記電極配線のパターン、上記連結配線、上記出力端子用電極配線及び上記接続用電極配線は、上記透明多孔質層の上にスクリーン印刷された導電性ペーストを加熱処理して形成されているのが好ましい。
【００２０】
上記導電性ペーストは、有機バインダー樹脂、平均粒径系が５ｎｍ以上５μｍ以下の球状の銀である導電粉末及び有機溶剤を含むのが好ましい。
【００２１】
上記導電粉末の含有量は、上記導電性ペーストの全体量の５０〜９５質量％であり、上記有機バインダー樹脂は、水酸基を有するポリエステル樹脂、ブロックポリイソシアネート、アクリル樹脂を含む熱硬化性樹脂、可塑剤及びカップリング剤からなる。
【００２２】
有機バインダー樹脂が、水酸基を有するポリエステル樹脂、ブロックポリイソシアネート、アクリル樹脂を含む熱硬化性樹脂、可塑剤及びカップリング剤からなるので、導電性ペーストを加熱処理すると、有機バインダー樹脂が３次元硬化し、焼散せずに残り、銀粒子を互いに融着させたまま、透明多孔質層の面上に密着性よく留まり、剥がれない。
【００２３】
透明性樹脂基材の基材樹脂としては、耐熱性が高く、透明であり、該基材上に該透明多孔質層を形成し得るものであれば特に限定はない。
【００２４】
具体的には、ポリエチレンテレフタレート（ＰＥＴ）、ポリエチレンナフタレート（ＰＥＮ）などのポリエステル樹脂；ポリカーボネート樹脂；ポリ（メタ）アクリル酸エステル樹脂；シリコーン樹脂；環状ポリオレフィン樹脂；ポリアリレート樹脂；ポリエーテルスルホン樹脂などが例示される。上記のうち、透明性、コスト、耐久性、耐熱性等の観点から総合的に判断すると、ポリエステル樹脂、特にＰＥＴ又はＰＥＮが好ましく採用される。
【００２５】
ここで透明性樹脂基材における透明性とは、ＰＤＰ、ＣＲＴ等の表示部の用途に用いられ得る程度の透明性であれば特に限定されない。通常、ＪＩＳ Ｋ７１０５で測定した全光線透過率が７０〜９０％程度、及びＪＩＳ Ｋ７１０５で測定したヘイズ値が０．１〜２０％程度である。
【００２６】
透明性樹脂基材の形態は、ＰＤＰ、ＣＲＴ等の表示部に用い得る形態、即ち、フィルム状、シート状、平板状等が採用される。かかる形態は、上記の基材樹脂から公知の方法により製造することができる。
【００２７】
上記透明多孔質層は、酸化物セラミックス、非酸化物セラミックス及び金属からなる群から選ばれる少なくとも１種を主成分として含有する。
【００２８】
ここで、酸化物セラミックスとしては、チタニア、アルミナ、マグネシア、ベリリア、ジルコニア、シリカ等の単純酸化物、シリカ、ホルステライト、ステアタイト、ワラステナイト、ジルコン、ムライト、コージライト、スポジェメン等のケイ酸塩、チタン酸アルミニウム、スピネル、アパタイト、チタン酸バリウム、ＰＺＴ、ＰＬＺＴ、フェライト、ニオブ酸リチウム等の複酸化物が例示できる。
【００２９】
非酸化物セラミックスとしては、窒化ケイ素、サイアロン、窒化アルミニウム、窒化ホウ素、窒化チタン等の窒化物、炭化ケイ素、炭化ホウ素、炭化チタン、炭化タングステン等の炭化物、アモルファス炭素、黒鉛、ダイヤモンド、単結晶サファイヤ等の炭素が例示できる。その他、ホウ化物・硫化物・ケイ化物が例示できる。
【００３０】
金属としては、金、銀、鉄、銅、ニッケル等が例示できる。
【００３１】
これらのうち少なくとも１つを原料として用いればよく、より好ましいのはシリカ、チタニア、アルミナであり、その他成分や配合は特に制限はない。
【００３２】
透明性樹脂基材上に有する透明多孔質層の厚さは、０．０５〜２０μｍ程度、特に０．１〜５μｍ程度である。
【００３３】
また、該透明多孔質層は、酸化物セラミックス、非酸化物セラミックス及び金属からなる群から選ばれる少なくとも１種を主成分とする微粒子の集合体（凝集体）からなり、該微粒子間に細孔を有している。該透明多孔質層の平均粒子径は１０〜１００ｎｍ程度であり、該細孔径は１０〜１００ｎｍ程度である。このような透明多孔質層を有しているため、後述する導電性ペーストとのマッチングが優れており、所望のパターン形成が可能となる。
【００３４】
透明多孔質層を有する透明性樹脂基材の形態は、フィルム状、シート状、平板状等である。フィルム状又はシート状の場合、透明多孔質層を有する透明性樹脂基材の厚さは、通常、２５〜３００μｍ程度、好ましくは４０〜２００μｍ程度であればよい。
【００３５】
透明多孔質層を有する透明性樹脂基材の透明性は、通常、ＪＩＳ Ｋ７１０５で測定した全光線透過率が７０〜９０％程度、及びＪＩＳ Ｋ７１０５で測定したヘイズ値が０．１〜２０％程度である。
【００３６】
上記導電性ペーストは、有機バインダー樹脂、平均粒径系が５ｎｍ以上５μｍ以下の球状の銀である導電粉末及び有機溶媒を含む。この導電粉末は、粒径が異なる２種類の銀粒子を含むのが好ましい。
【００３７】
平均粒径系が５ｎｍ以上５μｍ以下の球状の銀である導電粉末を用いると、銀粒子を互いに融着させたまま、透明多孔質層の面上に密着性よく留まり、剥がれない。ひいては、透明多孔質層に印刷された細線の断線が防止される。
【００３８】
上記導電粉末の含有量は、上記導電性ペーストの全体量の５０〜９５質量％である。この範囲を選ぶことにより、焼成後、残存有機バインダー樹脂中において、銀粒子を互いに融着させたまま、透明多孔質層の面上に密着性よく留まらせることができる。導電粉末は互いにくっつき合い、電気的接続され、導電性は損なわれない。
【００３９】
導電性ペーストに含まれる有機バインダー樹脂としては、透明多孔質層と密着性がよく、透明多孔質層を侵さないもので、水酸基を有するポリエステル樹脂、ブロックポリイソシアネート、アクリル樹脂を含む熱硬化性樹脂である。
【００４０】
これらは、導電性ペーストの焼成時に、化学反応を起こし、３次元化網目高分子が形成され、銀粒子を互いに固くつなぎ止める。
【００４１】
有機バインダー樹脂（単に「バインダー」とも称する）の使用量は、球状銀粒子１００重量部に対して１.０〜２０重量％程度、好ましくは３〜１０重量％程度であればよい。有機バインダー樹脂量が１．０質量％未満の場合、硬化後の導電性ペースト（銀の細線）の膜質が脆くなり、また、十分な３次元構造をとることができず銀粒子同士をつなぎとめる効果が低くなるため、所望する導電性を得ることができない。また、２０質量％を超えると、銀粒子間に硬化性の樹脂が過剰に介在することにより、粒子の接触性又は焼結性を阻害することになり、所望の導電性を得ることができない。
【００４２】
また、導電性ペーストに含まれる溶媒（又は「溶剤」とも称する）としては、銀粒子及びバインダーと反応を起こさず、これらを良好に分散するものであれば特に限定されるものではない。例えば、スクリーン印刷用の導電性ペーストとして調合される場合は、比較的高沸点（例えば、沸点約１００〜３００℃）のものが選択されることが多い。
【００４３】
スクリーン印刷の方法は特に限定はなく、公知の方法を用いて行うことができる。印刷に用いるスクリーン版は、十分な透視性が確保できる程度の導電部が形成されるようなパターン、特に、格子状、網目状などの連続した幾何学パターンを有するものが用いられる。例えば、直径１１〜２３μｍのステンレスワイヤで織られた３６０〜７００メッシュのステンレス紗に、線幅１〜１００μｍ、好ましくは１０〜３０μｍ程度、模様ピッチ１００〜２０００μｍ好ましくは２００〜４００μｍ程度の格子状パターンを設けたスクリーン版が挙げられる。
【００４４】
スクリーン印刷では、微細な粒子状酸化銀を含む導電性ペーストを用いているため、パターンにムラの発生がほとんどない。また、該導電性ペーストと透明多孔質層とのマッチングがよいため、透明多孔質層上に形成されたパターンの細線に、断線や滲みがほとんど発生しない。
【００４５】
一般に、スクリーン印刷されるパターンの線幅は、原理上、スクリーン版の線幅より少し太くなる傾向があるが、線間隔のズレやパターンの歪みがほとんど発生せず、スクリーン版のパターンに対しほぼ忠実なパターンが透明多孔質層上に再現されることとなる。少し太くなる傾向を嫌う場合、スクリーン版のスリット幅を、透明多孔質層に形成される所望の線幅よりも小さく設定すればよく、当業者であればかかる設定は容易に行うことができる。
【００４６】
続いて、スクリーン印刷されたシートを、１３０〜２００℃程度（特に、１６０〜１８０℃程度）の低温で加熱処理（焼成）して、透明多孔質層に格子状パターンの導電部を形成する。上述したように、特定の導電性ペーストを用いているため、比較的低温の加熱条件でも容易に金属銀粒子の融着が起こり、連続した金属銀の塗膜を形成することができる。加熱処理では、例えば、外部加熱方式（蒸気又は電気加熱熱風、赤外線ヒーター、ヒートロール等）、内部加熱方式（誘導加熱、高周波加熱、抵抗加熱等）等が採用される。加熱時間は、通常、５分〜１２０分程度、好ましくは１０分〜４０分程度である。
【００４７】
このように、上記の導電性ペーストを用いると、低温且つ短時間で銀塗膜を形成することができるため、熱による透明性樹脂基材への悪影響を回避できる。即ち、熱により透明性樹脂基材からのオリゴマー析出によって該基材が白化したり、熱により基材が黄変したりすることを抑制できる。
【００４８】
さらに、透明多孔質層上に形成された導電性パターンは、実質的にその大部分が銀粒子からなり、かつ、この銀粒子が直接融着し結合した高純度の銀の塊となる。このため、より低く且つ安定な抵抗値を有している。
【００４９】
この発明の他の局面に従う映写スクリーンシートは、プロジェクタから投影された画像や映像を表示する映写スクリーンシートであって、基板と、上記基板の少なくとも一方の面に設けられ、上記プロジェクタからの投影光を反射する反射手段と、を備える。上記反射手段は、互いに間隔を置いて配列された、表面及び側壁面を有し、かつ光反射性を有する複数の細線で形成されている。
【００５０】
映写スクリーンシートの用途のみに使用する場合には、接続用電極配線、出力端子用電極配線等が不要であるので、さらに、重量及びコストが軽減する。
【００５１】
上記光反射性を有する複数の細線は、上述の導電性パターンはいずれも使用できるが、これらに限定されるものでなく、光反射性を有するものはいずれも使用できる。
【発明の効果】
【００５２】
本発明に係る入力機能付き映写スクリーンシートによれば、反射手段を、タッチセンサの電極配線を兼ねる複数の導電性細線で形成しているので、タッチセンサの電極配線を兼ねながら、映写スクリーンシートにもなる。その結果、複数の導電性細線が同時に２つの利益（タッチセンサとしても利用でき、映写スクリーンシートとしても利用できる）を生み出し、コストを低くでき、かつ生産性も改善され、薄型化を図ることができる。
【図面の簡単な説明】
【００５３】
【図１】本発明の実施の形態１に係る入力機能付き映写スクリーンシートの正面図である。
【図２】（Ａ）は図１におけるＡ部拡大図であり、（Ｂ）は他の態様であるジグザグパターンの例を示す図である。
【図３】図２（Ａ）におけるＸ−Ｘ線に沿う断面のさまざまな態様を示す図である。
【図４】本発明の作用効果を示す第１の図である。
【図５】（Ａ）は、本発明の作用効果を示す第２の図であり、（Ｂ）は本発明の作用効果を示す第３の図である。
【図６】本発明が適用できる投影型静電容量方式のタッチパネル（自己容量）の動作を説明する図である。
【図７】本発明が適用できる他の投影型静電容量方式タッチパネル（相互容量）の動作を説明する図である。
【図８】実施の形態２に係る映写スクリーンシートの使用例を示す図である。
【図９】実施の形態２に係る映写スクリーンシートが発揮する第１の特有の効果を示す図である。
【図１０】（Ａ）は、実施の形態２に係る映写スクリーンシートが発揮する第２の特有の効果が生じる原理を説明する図であり、（Ｂ）は、その第２の特有の効果を説明する図である。
【図１１】（Ａ）投影型静電容量方式タッチパネル用フィルムの平面図であり、（Ｂ）は図１１（Ａ）におけるＢ部拡大図であり、（Ｃ）は図１１（Ａ）におけるＣ部拡大図である。
【発明を実施するための最良の形態】
【００５４】
コストを低くでき、かつ生産性も改善され、さらに薄型化をも図ることができるように改良された入力機能付き映写スクリーンシートを得るという目的を、基板の少なくとも一方の面に設けられた反射手段を、タッチセンサの電極配線を兼ねる複数の導電性細線で形成することによって実現した。以下、この発明の実施例を、図を用いて説明する。なお、各図中、同一又は相当する部分には同一の参照番号を付し、その説明を繰り返さない。
【００５５】
（実施の形態１）
【００５６】
図１は、本発明の実施の形態１に係る入力機能付き映写スクリーンシートの正面図である。入力機能付き映写スクリーンシート１は、プロジェクタ２１から投影された画像や映像２３を表示する。入力機能付き映写スクリーンシート１は、後述する、基板と、基板の少なくとも一方の面に設けられた、プロジェクタ２１からの投影光１４を拡散して反射する反射手段とを備える。反射手段は、タッチセンサの電極配線を兼ねる複数の導電性細線１ｘ、１ｙで形成されている。導電性細線１ｘ、１ｙのパターン形状や材料(色)などの最適化により、より鮮明な映像が得られる。入力機能付き映写スクリーンシート１に関するその他の構成は、図１１に示すタッチパネルと同様であるので、同一部分には同一の参照番号を付し、その説明を繰り返さない。
【００５７】
本実施の形態１に係る入力機能付き映写スクリーンシート１によれば、詳細は後述するが、反射手段を、タッチセンサの電極配線を兼ねる複数の導電性細線で１ｘ、１ｙで形成しているので、タッチセンサの機能を持ちながら、映写スクリーンシートにもなる。その結果、複数の導電性細線が同時に２つの利益（タッチセンサとしても利用でき、映写スクリーンシートとしても利用できる）を生み出し、コストを低くでき、かつ生産性も改善され、薄型化を図ることができる。
【実施例１】
【００５８】
図２（Ａ）は、図１におけるＡ部の拡大図である。図２（Ａ）におけるＸ−Ｘ線に沿う断面図は、図３（Ａ）〜（Ｄ）に示す通りである。
【００５９】
これらの図を参照して、入力機能付き映写スクリーンシート１は、基板２２と、基板２２の少なくとも一方の面に設けられた、プロジェクタからの投影光を拡散して反射する反射手段１２とを備える。反射手段１２は、タッチセンサの電極配線を兼ねる複数の導電性細線１ｘ、１ｙで形成されている。導電性細線１ｘ、１ｙは、図２（Ａ）に示すメッシュ（格子）、図２（Ｂ）に示すジグザグ（折れ線）又はランダムのパターンであってもよい。
【００６０】
複数の導電性細線１ｘ、１ｙは、線幅１〜１００μｍ、線間隔１００〜２０００μｍ、厚み（透明多孔質層面から垂直方向の細線の最大高さ）０．１〜２０μｍである。基板２２は、不透明材料であってもよいが、透明材料であるのが好ましい。
【００６１】
導電性細線１ｘ、１ｙは、金、銀、銅、金と銀の合金、金と銅の合金、銀と銅の合金、金と銀と銅の合金の材料等で形成される。
【００６２】
導電性細線１ｘ、１ｙは、印刷、インクジェット、フォトリソグラフィー等で形成される。
【００６３】
導電性細線１ｘ、１ｙは、図３（Ａ）に示すように、基板１の両面に設けてもよいし（相互容量）、図３（Ｆ）に示すように、一方の面のみに設けてもよい（自己容量）。入力機能付き映写スクリーンシートを２枚用いる場合には、これらが、それぞれに設けられた反射手段である導電性細線１ｘ、１ｙが背中合わせになるように（図３（Ｂ））、導電性細線１ｘ、１ｙが互いに向かい合うよう（図３（Ｃ））に、又は、図３（Ｄ），（Ｅ）に示すように、双方の導電性細線１ｘ、１ｙが同一方向に向くように、絶縁体（粘着剤）１３を介して積層される。
【００６４】
次に動作について説明する。
【００６５】
図４に示すように、基板２２の少なくとも一方の面２２ａに設けられた反射手段である導電性細線（図示せず）に投影光１４を当てると、反射手段である導電性細線（図示せず）の表面及び側壁面に当たって散乱し、拡散し、反射する。この拡散光１５を観察者の目１６が視認する。
【００６６】
図５（Ａ）に示すように、基板２２が透明材料で形成されている場合、拡散光１５は、基板２２を通り抜け、反対側にいた観察者の目１７が視認する。この場合、観察者の目１７は、観察者の目１６が視認した画像や映像の左右が反転したものを視認する。
【００６７】
図５（Ｂ）に示すように、基板２２の少なくとも一方の面２２ａに反射手段である導電性細線（図示せず）が形成されている場合に、他方の面２２ｂから投影光１４を当てても、一方の面２２ａに設けられた反射手段である導電性細線（図示せず）によって、投影光１４は、散乱し、拡散し、反射する。この拡散光１５を一方の面２２ａ側にいる観察者の目１６が視認する。他方の面２２ｂ側に散乱し、拡散し、反射した拡散光１５は、他方の面２２ｂ側にいる観察者の目１７が視認する。
【実施例２】
【００６８】
実施の形態１に係る入力機能付き映写スクリーンシートは、図６に示す投影型静電容量方式タッチパネルにも利用できる、投影型静電容量方式タッチパネルは表面型より小さな画面サイズに用いられる場合が多く、昨今では携帯機器において注目度が非常に高い。内部構造については、演算処理ＩＣを搭載した基板層の上に、特定のパターンで大量に並べた透明電極の層を配置し、表面にはガラスやプラスチックなどのカバー（誘電体）を重ねている。表面に指を近づけると複数の電極間の静電容量が同時に変化するが、この電流量の比率を測定することで、高精度に位置を特定することができる。
【００６９】
実施の形態１に係る入力機能付き映写スクリーンシートは、図７に示す投影型静電容量方式タッチパネルフィルムにも利用できる、図７の断面図に示すように、Ｘ軸方向に並んで延びる電極配線のパターンが形成された透明電極フィルムとＹ軸方向に並んで延びる電極配線のパターンが形成された透明電極フィルムとを備え、これらの２枚のフィルムがＸ軸方向とＹ軸方向が直交するように重ね合わされてなる。表面に指を近づけると上下の電極間の静電容量が同時に変化するが、この電流量の比率を測定することで、高精度に位置を特定することができる。
【００７０】
（実施の形態２）
【００７１】
実施の形態２は、入力機能を取り除いて簡単な構成にした映写スクリーンシートに係る。入力機能を除いた点以外は、実施の形態１と同様である。図８を参照して、実施の形態２に係る映写スクリーンシート１を、例えば部屋の天井に、吊り紐１８で吊るす。部屋の中は電灯１９が照らされて明るいとする。映写スクリーンシート１は透明材料で形成されており、向こう側の窓２０、カーテン、本棚などが、映写スクリーンシート１を通して見える。映写スクリーンシート１には、上述の反射手段が設けられている。この明るい状態で、プロジェクタ２１を駆動し、映写スクリーンシート１に向けて、投影光１４を当てる。投影光１４は、映写スクリーンシート１に設けられた反射手段により、散乱し、拡散し、これを観察者の目１６が視認すると、映像２３（実施例では女性の映像）として認識される。実施の形態では、静止画であるが、動画にも利用できる。
【００７２】
次に、図９に示すように、窓を閉め、部屋の中の電灯１９を消し、暗くすると（図面では灰色で背景を描いているが、実際は真っ暗）、面白い現象が観察された。すなわち、部屋の中を真っ暗闇にすると、部屋の中のベッド、箪笥、窓、本箱、空調機など、全ての物は視界から消え失せる。そして、映写スクリーンシートも消え失せる。つまり、映写スクリーンシートの、投影光１４が当たらない部分（黒色部分）は透明であるため、視界から消え失せる。何も無い暗闇の空間に、ただ、図のように、映像２３だけが浮かび上がって、観察者の目１６に視認されるのである。
【００７３】
プロジェクタ２１から静止画ではなくて、動画を当てると、何も無い暗闇の空中に動画を浮かび上がらせて、その動作を観察することができる。例えば、蝶々が飛んでいる動画を見ると、蝶々が暗闇の空間に舞い上がり、観察者に壮大な実景の中にいるような感覚を与える。これが本願発明の第１の特有の効果である。
【００７４】
本発明の第２の特有の効果について説明する。図５（Ａ）とその説明文で既に説明したが、これについて、さらに詳細に説明する。図１０（Ａ）に示すように、基板２２の一方の面２２ａに設けられた反射手段１２は、互いに間隔を置いて配列された、表面２４ａ及び側壁面２４ｂを有し、かつ光反射性を有する複数の細線２４で形成されている。細線２４の材質は、金属または、導電性微粒子を含む樹脂で形成されてもよいが、これに限定されるものでなく、光反射性を有するものならいずれも使用できる。一方の面２２ａ側から当てられた投影光１４が細線２４の水平表面２４ａに当たると、逆方向に反射して、その光１５ａを一方の面２２ａ側にいる観察者の目１６が視認し、例えば図１０（Ｂ）の右側の映像２３を見る。投影光１４が細線２４の側壁面２４ｂに当たると、順方向に反射して、その光１５ｂが基板２２（透明材料）を通過して、他方の面２２ｂ側にいる観察者の目１７が視認する。他方の面２２ｂ側にいる観察者の目１７は、観察者の目１６が視認した映像の左右が反転した、図１０（Ｂ）の左側の映像２３を見る。部屋の中を暗くすると、一つの部屋の中で、互いに鏡像関係にある２つの映像が基板２２を境にして、浮かび上がって現れる。これが、本願発明の第２の特有の効果である。
【実施例３】
【００７５】
銀ペースト材料を線幅２５〜３０μｍ、ピッチ８６０μｍのジグザグパターンでスクリーン印刷形成したＰ−ＣＡＰ方式（透過型静電容量方式）の透明タッチセンサに投影光を当てたところ、鮮明な映像が得られた。また、投影光が当たらない部分（黒色部分）は透明であるため、何も無い空間に浮かび上がったような映像が視認された。なおこの現象は銀ペースト材料を形成した面側、またその反対面側のいずれから投影光を当てた際にも視認され、さらにそのそれぞれにおいて、投影光を当てる面側、またその裏面側の両方で視認された。
【実施例４】
【００７６】
銀ペースト材料を線幅２０〜２５μｍ、ピッチ３００μｍのメッシュパターンでスクリーン印刷形成した透明タッチセンサに投影光を当てたところ、鮮明な映像が得られた。また、投影光が当たらない部分は透明であるため、何も無い空間に浮かび上がったような映像となった。なおこの現象は銀ペースト材料を形成した面側、またその反対面側のいずれから投影光を当てた際にも視認され、さらにそのそれぞれにおいて、投影光を当てる面側、またその裏面側の両方で視認された。
【実施例５】
【００７７】
実施例２において、線幅は２０〜２５μｍのままで、ピッチを４００，５００，１０００μｍとしたところ、ピッチが大きくなるほど映像の精細度、鮮明度が劣化した。ただしピッチが大きい程、投影光が当たらない部分の透明性が増すため、なにもない空間に映像が浮かび上がったような印象は強くなった。なおこの現象は銀ペースト材料を形成した面側、またその反対面側のいずれから投影光を当てた際にも視認され、さらにそのそれぞれにおいて、投影光を当てる面側、またその裏面側の両方で視認された。ワイヤー配線のパターン形状や材料(色)などの最適化により、より鮮明な映像が得られる。
【００７８】
今回開示された実施例はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【産業上の利用可能性】
【００７９】
本発明に係る入力機能付き映写スクリーンシートによれば、反射手段を、タッチセンサの電極配線を兼ねる複数の導電性細線で形成しているので、タッチセンサの機能を持ちながら、映写スクリーンシートにもなる。
【符号の説明】
【００８０】
１     入力機能付き映写スクリーンシート
１ｘ、１ｙ    電極配線
４、８ ＦＰＣ基板
５、９ 出力端子用電極配線
６     接続用電極配線
７、１１      変換基板
１０   接続用電極配線
１２   反射手段
１３   絶縁体
１４   投影光
１５   拡散光
１６，１７    目
１８   吊り紐
１９   電灯
２０   窓
２１   プロジェクタ
２２   基板
２２ａ 一方の面
２２ｂ 他方の面
２３   映像
２４ａ 水平表面
２４ｂ 側壁面
９１ｘ、９１ｙ    連結配線
１００   投影型静電容量方式タッチパネル用フィルム
【図１】
2017215383.tif 000003
【図２】
2017215383.tif 000004
【図３】
2017215383.tif 000005
【図４】
2017215383.tif 000006
【図５】
2017215383.tif 000007
【図６】
2017215383.tif 000008
【図７】
2017215383.tif 000009
【図８】
2017215383.tif 000010
【図９】
2017215383.tif 000011
【図１０】
2017215383.tif 000012
【図１１】
2017215383.tif 000013